(57)【要約】    【課題】      基地局装置から送信される送信電力制御に関する情報の誤判定を低減して送信電力制御の精度向上を実現する送信電力制御方法および通信端末装置を提供すること。    【解決手段】    絶対値算出部１０７１は、ＢＴＳ合成部１０６から出力されたＴＰＣセットごとの合成ＴＰＣ信号の振幅の絶対値を計算し、最大値検出部１０７２に出力する。最大値検出部１０７２は、受け取った振幅の絶対値の中から最大値を検出し、しきい値係数乗算部１０７３に出力する。しきい値係数乗算部１０７３は、予め設定されたしきい値係数と最大値検出部１０７２で検出された最大値とを乗算することにより、判定しきい値を算出し、合成ＴＰＣ信号判定部１０８に出力する。合成ＴＰＣ信号判定部１０８は、ＴＰＣセットごとの合成ＴＰＣ信号に基づいて、合成ＴＰＣ信号が自装置の送信電力を上げる信号であるか、又は下げる信号であるかの判定をＴＰＣセットごとに行う。  【選択図】      図２
2006033745.tif 000002
【特許請求の範囲】
【請求項１】
複数の基地局装置からの送信電力制御信号を受信しているときに、複数の前記送信電力制御信号の内容を判定しきい値に基づいて判定し、この判定結果に基づいて前記基地局装置に対する送信電力を制御する通信端末装置であって、
前記基地局装置ごとに、前記送信電力制御信号の受信レベルを測定する測定手段と、
測定した前記受信レベルのうちで最大値を検出する検出手段と、
前記最大値と、しきい値係数とを乗算して前記判定しきい値を算出する判定しきい値算出手段と、
を具備することを特徴とする通信端末装置。
【請求項２】
複数の基地局装置からの送信電力制御信号を受信しているときに、複数の前記送信電力制御信号の内容を判定しきい値に基づいて判定し、この判定結果に基づいて前記基地局装置に対する通信端末装置の送信電力を制御する送信電力制御方法であって、
前記基地局装置の各々から送信される前記送信電力制御信号の受信レベルのうちで最大値を検出するステップと、
前記最大値と、しきい値係数とを乗算して前記判定しきい値を算出するステップと、
を具備することを特徴とする送信電力制御方法。
【請求項３】
請求項２記載の送信電力制御方法をコンピュータに実行させることを特徴とする送信電力制御プログラム。
【発明の詳細な説明】
【技術分野】
【０００１】
本発明は、送信電力制御方法および通信端末装置に関し、特に基地局装置から送信される送信電力制御に関する情報の誤判定を低減して送信電力制御の精度向上を実現する送信電力制御方法および通信端末装置に関する。
【背景技術】
【０００２】
ＣＤＭＡ方式の無線通信では、基地局装置で受信される各通信端末装置の送信信号が同じレベルになるように、基地局装置から通信端末装置に対して送信電力制御信号（以下、「ＴＰＣ信号」と略する場合がある）を送信し、通信端末装置の送信電力を制御する送信電力制御が行われている。
【０００３】
ＣＤＭＡ方式の無線通信では、例えば、基地局装置が指向性を持った電波を発信することにより自装置のセルを複数のセクタセルに分割する場合、通信端末装置は、同一の基地局装置から同一の信号を複数受信する場合があり、これはあたかも同一の場所に複数の基地局装置があるものとみなすことができる。送信電力制御においては、この「同一の場所に複数設置されたとみなすことができる基地局装置」は、同一のＴＰＣ信号を送信する場合がある。なお、以下、同一のＴＰＣ信号を送信する複数の基地局装置とみなされる集合をＴＰＣセットと呼ぶ。
【０００４】
ところで、従来の送信電力制御方法が、非特許文献１に記載されている。この送信電力制御方法が適用される通信端末装置は、同一のＴＰＣ信号を送信する同一の場所に設置された複数の基地局装置とみなされるＴＰＣセットのＴＰＣ信号を合成し、ＴＰＣセットごとの合成ＴＰＣ信号を取得する。そして、通信端末装置は、ＴＰＣセットごとの合成ＴＰＣ信号に基づいて、合成ＴＰＣ信号が自装置の送信電力を上げる信号（以下、「ＵＰ信号」と略する）であるか、又は自装置の送信電力を下げる信号（以下、「ＤＯＷＮ信号」と略する）であるかの判定をＴＰＣセットごとに行う。
【０００５】
さらに、通信端末装置は、基地局装置の切り替え時などには、複数の基地局装置と同時に通信するソフトハンドオーバ状態にある。この場合には、ＴＰＣセットが複数存在するため、通信端末装置は、ＴＰＣセットごとに行われる合成ＴＰＣ信号の判定結果を総合判断することにより、最終的な最終ＴＰＣ信号を生成し、この最終ＴＰＣ信号の内容により、送信電力制御を行う。すなわち、通信端末装置は、最終ＴＰＣ信号が「ＵＰ信号」であるときには、現在の送信電力値に予め設定された送信電力変化量を加算した値で基地局装置に対して送信を行い、また、最終ＴＰＣ信号が「ＤＯＷＮ信号」であるときには、現在の送信電力値に予め設定された送信電力変化量を減算した値で基地局装置に対して送信を行う。
【０００６】
ここで、上記合成ＴＰＣ信号の判定結果の総合判断により生成される最終ＴＰＣ信号は、ＴＰＣセットごとの合成ＴＰＣ信号がすべてＵＰ信号であるときには「ＵＰ信号」とされ、また、それ以外の場合、すなわち、ＴＰＣセットごとの合成ＴＰＣ信号にＤＯＷＮ信号が一つでも含まれているときには「ＤＯＷＮ信号」とされる。
【０００７】
次いで、図４に示す合成ＴＰＣ信号のコンスタレーションを参照して、ＴＰＣセットごとに行われる合成ＴＰＣ信号の判定結果を総合判断して最終ＴＰＣ信号を生成する過程を具体的に説明する。
【０００８】
図４において、コンスタレーション１０は、ＴＰＣセットごとの合成ＴＰＣ信号１１の分布を示している．通信端末装置は、ＴＰＣセットごとの合成ＴＰＣ信号１１が判定しきい値１２以上の領域（ＤＯＷＮ領域１３）にある場合には、その合成ＴＰＣ信号１１をＤＯＷＮ信号と判定する。また、通信端末装置は、ＴＰＣセットごとの合成ＴＰＣ信号１１が判定しきい値１２未満のＵＰ領域１４にある場合には、その合成ＴＰＣ信号１１をＵＰ信号と判定する。
【０００９】
ところで、実際の無線通信においては基地局装置と通信端末装置との間の伝搬環境が変化するため、図４のコンスタレーション１０で示したような合成ＴＰＣ信号が受信されることはまれである。
【００１０】
図５に非特許文献２に記載されている高速移動中のマルチパスフェージング伝搬環境における合成ＴＰＣ信号のコンスタレーションの一例を示す。高速移動中のマルチパスフェージング環境では、通信端末装置の移動速度によって変化するドップラー周波数が高いため単位時間に原点（Ｉ軸とＱ軸の交差点）を交差する確率が高くなる。そのため、高速移動中のマルチパスフェージング環境における合成ＴＰＣ信号のコンスタレーション２０は、図４の合成ＴＰＣ信号のコンスタレーション１０と比較して原点付近に合成ＴＰＣ信号が多く分布している。
【００１１】
原点付近の合成ＴＰＣ信号エリア２２は、符号間距離が短いため、ＴＰＣセットから送信された合成ＴＰＣ信号２１がＵＰ信号であったか、ＤＯＷＮ信号であったかの判定が困難となる。例えば、２つのＴＰＣセットから送信された合成ＴＰＣ信号（実際は、ＵＰ信号として送信されたとする）は、原点付近の合成ＴＰＣ信号エリア２２内で受信された場合、どちらかがＤＯＷＮ信号と判定される確率が高くなる。このように、どちらか一方の合成ＴＰＣ信号２１がＤＯＷＮ信号と誤った判定をされた場合、最終ＴＰＣ信号がＤＯＷＮ信号とされるため、２つのＴＰＣセットがＵＰ信号である合成ＴＰＣ信号を送信している場合でも、通信端末装置が送信電力を下げてしまう現象が発生する。
【００１２】
このような現象を抑制するために、一般的に判定しきい値２３より大きな判定しきい値２６（以下、軟判定しきい値２６と呼ぶ）を用いて合成ＴＰＣ信号の判定を行うことによって、ＵＰ領域２４を広くし、原点付近のＴＰＣ信号エリア２２内の合成ＴＰＣ信号２１がＵＰ信号として判定され易くする手法がとられている。こうして、原点付近のＴＰＣ信号エリア２２内の合成ＴＰＣ信号２１がＵＰ信号として判定され易くなるため、原点付近のＴＰＣ信号エリア２２内の合成ＴＰＣ信号２１がＤＯＷＮ信号と誤判定されることによる通信端末装置の送信電力低下を抑制することができる。
【００１３】
このように、従来の送信電力制御方法では、軟判定しきい値を用いて、ＴＰＣセットごとの合成ＴＰＣ信号を判定することにより、原点付近に存在する合成ＴＰＣ信号の誤判定による通信端末装置の送信電力低下を抑制していた。
【非特許文献１】3GPP TS 25.214
【非特許文献２】3GPP TS 25.101 Annex B.2.2 Multi-path fading propagation conditions Case3
【発明の開示】
【発明が解決しようとする課題】
【００１４】
しかしながら、従来の送信電力制御方法においては、軟判定しきい値を固定的に設けているため、伝搬環境によっては尚も送信電力制御を誤るという問題がある。
【００１５】
図６を用いて具体的に説明する。図６は、高速移動中のマルチパスフェージング伝搬環境における合成ＴＰＣ信号の時間変化の一例である。なお、図６のデータを得るにあたり、ＴＰＣセット１は、ＴＰＣ信号としてＵＰ信号とＤＯＷＮ信号とを交互に繰り返して送信し、ＴＰＣセット２は、ＴＰＣ信号としてＤＯＷＮ信号、ＤＯＷＮ信号、ＵＰ信号、ＵＰ信号という周期を繰り返して送信している。
【００１６】
図６において、縦軸は合成ＴＰＣ信号の振幅（プラスの振幅は、図５では原点よりも第１象限側にあることを意味し、逆に、マイナスの振幅は、図５では原点よりも第３象限側にあることを意味している）を示し、横軸は時間を示している。また、図６における各折れ線は、ＴＰＣセット１の合成ＴＰＣ信号３２、ＴＰＣセット２の合成ＴＰＣ信号３３、および、最終ＴＰＣ信号の期待値３１（0.002がＵＰ信号、-0.002がＤＯＷＮ信号に対応する）である。なお、最終ＴＰＣ信号の期待値３１は、ＴＰＣセット１およびＴＰＣセット２から上記のように送信されたＴＰＣ信号が理想的な通信環境で通信端末装置に到達した場合における最終ＴＰＣ信号の期待値である。また、軟判定しきい値３４（図中の直線）は、図５の軟判定しきい値２６に対応する。
【００１７】
図６の時刻t１において、ＴＰＣセット１の合成ＴＰＣ信号３２及びＴＰＣセット２の合成ＴＰＣ信号３３は軟判定しきい値３４未満であるため、最終ＴＰＣ信号はＵＰ信号とされる。
【００１８】
しかしながら、図６の時刻t２においては、ＴＰＣセット１の合成ＴＰＣ信号３２は軟判定しきい値３４未満であるためＵＰ信号とされ、ＴＰＣセット２の合成ＴＰＣ信号３３は軟判定しきい値以上であるためＤＯＷＮ信号とされる。これを総合判定すると、ＴＰＣセット１およびＴＰＣセット２の合成ＴＰＣ信号は、すべてがＵＰ信号でないため、最終ＴＰＣ信号はＤＯＷＮ信号となってしまい、期待値３１と一致しなくなってしまう問題がある。
【００１９】
本発明は、かかる点に鑑みてなされたものであり、基地局装置から送信される送信電力制御に関する情報の誤判定を低減して送信電力制御の精度向上を実現する送信電力制御方法および通信端末装置を提供することを目的とする。
【課題を解決するための手段】
【００２０】
本発明の通信端末装置は、複数の基地局装置からの送信電力制御信号を受信しているときに、複数の前記送信電力制御信号の内容を判定しきい値に基づいて判定し、この判定結果に基づいて前記基地局装置に対する送信電力を制御する通信端末装置であって、前記基地局装置ごとに、前記送信電力制御信号の受信レベルを測定する測定手段と、測定した前記受信レベルのうちで最大値を検出する検出手段と、前記最大値と、しきい値係数とを乗算して前記判定しきい値を算出する判定しきい値算出手段と、を具備する構成を採る。
【００２１】
本発明の送信電力制御方法は、複数の基地局装置からの送信電力制御信号を受信しているときに、複数の前記送信電力制御信号の内容を判定しきい値に基づいて判定し、この判定結果に基づいて前記基地局装置に対する通信端末装置の送信電力を制御する送信電力制御方法であって、前記基地局装置の各々から送信される前記送信電力制御信号の受信レベルのうちで最大値を検出するステップと、前記最大値と、しきい値係数とを乗算して前記判定しきい値を算出するステップと、を具備するようにした。
【発明の効果】
【００２２】
本発明によれば、振幅の絶対値が大きい、すなわち、信頼性が高い送信電力制御信号の振幅の絶対値に応じてしきい値を設定することで、振幅の絶対値の小さい、すなわち、信頼性の低い送信電力制御信号をＵＰ信号と判定する確率を高くすることにより、基地局装置から送信される送信電力制御に関する情報の誤判定を低減して送信電力制御の精度向上を実現する送信電力制御方法および通信端末装置を提供することができる。
【発明を実施するための最良の形態】
【００２３】
本発明の骨子は、振幅の絶対値が大きい、すなわち、信頼性が高い送信電力制御信号の振幅の絶対値に応じてしきい値を設定することで、振幅の絶対値の小さい、すなわち、信頼性の低い送信電力制御信号をＵＰ信号と判定する確率を高くすることにより、誤判定による通信端末装置の送信電力の低下を抑制することである。
【００２４】
以下、本発明の一実施の形態について図面を参照して詳細に説明する。
【００２５】
まず、本実施の形態に係る通信端末装置の構成について、図１を参照して説明する。
【００２６】
図１に示すように、通信端末装置１００は、アンテナ１０１、無線部１０２、逆拡散部１０３、ＲＡＫＥ合成部１０４、ＴＰＣ信号抽出部１０５、ＢＴＳ合成部１０６、しきい値演算部１０７、合成ＴＰＣ信号判定部１０８、最終判定部１０９、および送信電力制御部１１０を備える。
【００２７】
無線部１０２は、アンテナ１０１を介して受信した無線信号を増幅し、その増幅した受信信号に搬送波を掛け合わせることにより、受信信号からベースバンド信号を取り出して逆拡散部１０３に出力する。
【００２８】
逆拡散部１０３は、拡散コードとベースバンド信号とを掛け合わせて逆拡散処理を行い、それによって得られる受信信号をＲＡＫＥ合成部１０４に出力する。なお、基地局装置（「同一の場所に複数設置されたとみなすことができる基地局装置」も含む）ごとに異なる拡散コードによって拡散した信号を送信してくるとともに、マルチパスによりタイミングの異なった遅延波が送信されてくる。そのため、逆拡散部１０３からＲＡＫＥ合成部１０４に対しては、拡散コードおよびタイミングの異なった受信信号が出力される。
【００２９】
逆拡散部１０３において同一の拡散コードで処理された受信信号は、同一の基地局装置から送信されている信号であるため、ＲＡＫＥ合成部１０４は、同一の拡散コードで処理された受信信号を合成し、基地局装置ごとの受信信号としてＴＰＣ信号抽出部１０５に出力する。
【００３０】
ＴＰＣ信号抽出部１０５は、ＲＡＫＥ合成部１０４から出力された基地局装置ごとの受信信号からＴＰＣ信号を抽出し、ＢＴＳ合成部１０６に出力する。
【００３１】
ＢＴＳ合成部１０６は、同一のＴＰＣ信号を送信する複数の基地局装置とみなされる集合であるＴＰＣセットのＴＰＣ信号を合成し、ＴＰＣセットごとの合成ＴＰＣ信号として、しきい値演算部１０７および合成ＴＰＣ信号判定部１０８に出力する。
【００３２】
しきい値演算部１０７は、ＢＴＳ合成部１０６から出力されたＴＰＣセットごとの合成ＴＰＣ信号に基づいて判定しきい値を算出し、合成ＴＰＣ信号判定部１０８に出力する。
【００３３】
合成ＴＰＣ信号判定部１０８は、ＴＰＣセットごとの合成ＴＰＣ信号に基づいて、合成ＴＰＣ信号が自装置の送信電力を上げる信号、すなわち、ＵＰ信号であるか、又は自装置の送信電力を下げる信号、すなわち、ＤＯＷＮ信号であるかの判定をＴＰＣセットごとに行う。
【００３４】
具体的には、合成ＴＰＣ信号判定部１０８は、ＢＴＳ合成部１０６から出力されたＴＰＣセットごとの合成ＴＰＣ信号としきい値演算部１０７から出力された判定しきい値とを比較し、合成ＴＰＣ信号が判定しきい値未満の場合にはＵＰ信号を最終判定部１０９に出力し、また、合成ＴＰＣ信号が判定しきい値以上の場合にはＤＯＷＮ信号を最終判定部１０９に出力する。
【００３５】
最終判定部１０９は、合成ＴＰＣ信号判定部１０８から出力された信号を「総合判断」することにより、最終的な最終ＴＰＣ信号を生成して、この最終ＴＰＣ信号を送信電力制御部１１０に出力する。具体的には、最終判定部１０９は、合成ＴＰＣ信号判定部１０８から出力された信号がすべてＵＰ信号のときには、送信電力を上げるべき状況と判断して、最終ＴＰＣ信号を「ＵＰ信号」とする。また、最終判定部１０９は、合成ＴＰＣ信号判定部１０８から出力された信号に１つでもＤＯＷＮ信号が含まれているときには、送信電力を下げるべき状況と判断して、最終ＴＰＣ信号を「ＤＯＷＮ信号」とする。
【００３６】
送信電力制御部１１０は、最終判定部１０９から出力される最終ＴＰＣ信号に基づいて、最終ＴＰＣ信号が「ＵＰ信号」の場合には、現在の送信電力値に予め設定された送信電力変化量を加算した値を無線部１０２に新たな送信電力値として設定し、また、最終ＴＰＣ信号が「ＤＯＷＮ信号」の場合には、現在の送信電力値に予め設定された送信電力変化量を減算した値を無線部１０２に新たな送信電力値として設定する。
【００３７】
無線部１０２は、送信電力制御部１１０により設定された送信電力値で、無線信号を送信する。
【００３８】
次いで、しきい値演算部１０７の構成について、図２を参照して説明する。
【００３９】
図２に示すように、しきい値演算部１０７は、絶対値算出部１０７１、最大値検出部１０７２、およびしきい値係数乗算部１０７３を備える。
【００４０】
絶対値算出部１０７１は、ＢＴＳ合成部１０６から出力されたＴＰＣセットごとの合成ＴＰＣ信号の振幅の絶対値を計算し、最大値検出部１０７２に出力する。この振幅の絶対値は、ＴＰＣセットごとの受信レベルに相当するので、絶対値算出部１０７１は、ＴＰＣセットごと、すなわち同一の基地局装置ごとの受信レベルを測定する機能を有している。
【００４１】
最大値検出部１０７２は、複数の絶対値算出部１０７１から出力された振幅の絶対値の中から最大値を検出し、しきい値係数乗算部１０７３に出力する。ここで、合成ＴＰＣ信号のうちで振幅の絶対値が最も大きいものを検出することは、最も信頼性（確からしさ）が高い合成ＴＰＣ信号を検出していることになる。
【００４２】
しきい値係数乗算部１０７３は、予め設定されたしきい値係数と最大値検出部１０７２で検出された最大値とを乗算することにより、判定しきい値を算出し、合成ＴＰＣ信号判定部１０８に出力する。なお、このしきい値係数とは、１未満の係数である。また、絶対値に対して、プラス値のしきい値係数を乗算するので、しきい値は常にプラスの値となる。ここで、最大値検出部１０７２で検出された最大値を基にしきい値を算出することは、最も信頼性（確からしさ）が高い合成ＴＰＣ信号の振幅の絶対値に基づいて閾値を算出していることになる。
【００４３】
次いで、本実施の形態に係る通信端末装置１００のしきい値演算部１０７の動作について、図３を参照して説明する。図３においては、図６と同様の表示方法を採っており、縦軸は合成ＴＰＣ信号の振幅、横軸は時間を示している。また、図３における各折れ線は、ＴＰＣセット１の合成ＴＰＣ信号３０１、ＴＰＣセット２の合成ＴＰＣ信号３０２、最終ＴＰＣ信号の期待値３０３（0.002がＵＰ信号、-0.002がＤＯＷＮ信号に対応する）、および、しきい値係数乗算部１０７３で算出される判定しきい値３０４である。なお、最終ＴＰＣ信号の期待値３０３は、ＴＰＣセット１およびＴＰＣセット２から送信されたＴＰＣ信号が理想的な通信環境で通信端末装置に到達した場合における最終ＴＰＣ信号の期待値である。
【００４４】
まず、図３の時刻t１において、ＴＰＣセット１の合成ＴＰＣ信号３０１およびＴＰＣセット２の合成ＴＰＣ信号３０２の振幅は、ともに原点付近にあり、それも両者ともに０以上の振幅を持っている。このときにしきい値係数乗算部１０７３にて算出される判定しきい値３０４は、振幅の絶対値が大きい（信頼性が高い）ＴＰＣセット１の合成ＴＰＣ信号３０１の振幅の絶対値に基づいて算出され、０に近い値となる。これにより、合成ＴＰＣ信号判定部１０８は、判定しきい値３０４という軟判定しきい値を用いながら、ＴＰＣセットごとの合成ＴＰＣ信号を硬判定と同等の判定を行っていることになる。
【００４５】
上記時刻t１における状況のように、大きい絶対値（高い信頼性）を持つ合成ＴＰＣ信号の振幅が正の値をとる場合には、この合成ＴＰＣ信号の振幅は、常にしきい値よりも大きくなる、すなわち、この合成ＴＰＣ信号は、ＤＯＷＮ信号と判定される。最終判定部１０９においては、合成ＴＰＣ信号判定部１０８から出力された信号に１つでもＤＯＷＮ信号が含まれているときには、送信電力を下げるべき状況と判断して、最終ＴＰＣ信号を「ＤＯＷＮ信号」とするので、結果的に最も信頼性の高い合成ＴＰＣ信号に応じた送信電力制御がなされることになる。
【００４６】
一方、図３の時刻t２においては、ＴＰＣセット１の合成ＴＰＣ信号３０１の振幅の絶対値は、ＴＰＣセット２の合成ＴＰＣ信号３０２の振幅の絶対値より大きくなっている。さらに、時刻t２におけるＴＰＣセット２の合成ＴＰＣ信号３０２の振幅は、マイナスの振幅となっており、これは時刻t２におけるＴＰＣセット２の合成ＴＰＣ信号３０２がＵＰ信号であることを示している。
【００４７】
このときにしきい値係数乗算部１０７３にて算出される判定しきい値３０４は、振幅の絶対値が大きいＴＰＣセット１の合成ＴＰＣ信号３０１の振幅の絶対値に基づいて算出され、たとえば時刻t１のときの判定しきい値３０４と比べて大きな値となる。そして、判定しきい値３０４が大きくなるため、ＴＰＣセット２の合成ＴＰＣ信号３０２の振幅の絶対値が小さいときには、ＴＰＣセット２の合成ＴＰＣ信号３０２は判定しきい値３０４よりも小さくなる確率が大きくなる。これにより、ＴＰＣセット１の合成ＴＰＣ信号３０１およびＴＰＣセット２の合成ＴＰＣ信号３０２の両方が、ＵＰ信号と判定される可能性が大きくなり、結果的に時刻t２において信頼性の高いＴＰＣセット１の合成ＴＰＣ信号３０１に応じて、最終ＴＰＣ信号が「ＵＰ信号」とされる確率が高くなる。
【００４８】
上記時刻t２における状況のように、大きい絶対値（高い信頼性）を持つ合成ＴＰＣ信号の振幅が負の値をとる場合には、この合成ＴＰＣ信号の振幅は、常にしきい値よりも小さくなる、すなわち、この合成ＴＰＣ信号は、ＵＰ信号と判定される。また、合成ＴＰＣ信号の振幅の絶対値の中の最大値に基づいてしきい値が算出されることで、その最大値に応じてしきい値も大きくなるので、小さい振幅の絶対値（信頼性が低いことを意味する）を持つ合成ＴＰＣ信号がＵＰ信号と判定される確率が高くなる。最終判定部１０９においては、合成ＴＰＣ信号判定部１０８から出力された信号がすべてＵＰ信号のときに、送信電力を上げるべき状況と判断して、最終ＴＰＣ信号を「ＵＰ信号」とするので、結果的に最も信頼性の高い合成ＴＰＣ信号に応じた送信電力制御がなされる確率が高くなる。
【００４９】
なお、上記説明では、ＴＰＣセットごとの合成ＴＰＣ信号の振幅の絶対値、すなわち、コンスタレーションにおける原点からの距離に基づいて、しきい値の算出をしたが、硬判定しきい値（例えば、図４の判定しきい値１２）とＴＰＣセットごとの合成ＴＰＣ信号との距離に基づいて、しきい値を算出してもよい。
【００５０】
また、上記説明では、基地局装置のセルがセクタセルに分割されていることを前提として、ＴＰＣセットごとの合成ＴＰＣ信号を利用した態様で説明を行ったが、基地局装置のセルがさらに分割されずにオムニセルの場合には、上記ＴＰＣセットごとの合成ＴＰＣ信号は、基地局装置ごとのＴＰＣ信号そのものである。
【００５１】
このように、本実施の形態によれば、振幅の絶対値が大きい、すなわち、信頼性が高い
ＴＰＣ信号の振幅の絶対値に応じてしきい値を設定することで、振幅の絶対値の小さい、すなわち、信頼性の低いＴＰＣ信号をＵＰ信号と判定する確率を高くすることにより、誤判定による通信端末装置の送信電力の低下を抑制し、通信端末装置の送信電力制御の精度向上を実現することができる。
【産業上の利用可能性】
【００５２】
本発明は、基地局装置から送信される送信電力制御に関する情報の誤判定を低減して送信電力制御の精度向上を実現する送信電力制御方法および通信端末装置として有用である。
【図面の簡単な説明】
【００５３】
【図１】本発明の一実施の形態に係る通信端末装置の構成を示すブロック図
【図２】図１のしきい値演算部の構成を示すブロック図
【図３】図１のしきい値演算部の動作を説明するための図
【図４】合成ＴＰＣ信号のコンスタレーションの一例を示す図
【図５】高速移動中のマルチパスフェージング伝搬環境における合成ＴＰＣ信号のコンスタレーションの一例を示す図
【図６】高速移動中のマルチパスフェージング伝搬環境における合成ＴＰＣ信号の時間変化の一例を示す図
【符号の説明】
【００５４】
１００  通信端末装置
１０１  アンテナ
１０２  無線部
１０３  逆拡散部
１０４  ＲＡＫＥ合成部
１０５  ＴＰＣ信号抽出部
１０６  ＢＴＳ合成部
１０７  しきい値演算部
１０８  合成ＴＰＣ信号判定部
１０９  最終判定部
１１０  送信電力制御部
１０７１  絶対値算出部
１０７２  最大値検出部
１０７３  しきい値係数乗算部
【図１】
2006033745.tif 000003
【図２】
2006033745.tif 000004
【図３】
2006033745.tif 000005
【図４】
2006033745.tif 000006
【図５】
2006033745.tif 000007
【図６】
2006033745.tif 000008